(57)【要約】【課題】集合住宅内における電力線搬送通信において、隣接し合う住戸の電力供給用ケーブルからの漏洩信号によるノイズを低減させることができる電力供給用ケーブルの配線構造を提供する。【解決手段】隣接し合う住戸５、６、７、８の一方の住戸においては、電力供給用ケーブルとして複数の心線を平行に並べた平行ケーブル３が配線されており、他方の住戸においては、電力供給用ケーブルとして複数の心線を撚り合わせた撚り合わせケーブル４が配線されている配線構造とする。【選択図】図１
2008295201.tif 000002
【特許請求の範囲】
【請求項１】
集合住宅内における電力供給用ケーブルの配線構造であって、隣接し合う住戸の一方の住戸においては、前記電力供給用ケーブルとして複数の心線を平行に並べた平行ケーブルが配線されており、他方の住戸においては、前記電力供給用ケーブルとして複数の心線を撚り合わせた撚り合わせケーブルが配線されていることを特徴とする電力供給用ケーブルの配線構造。
【請求項２】
集合住宅内における電力供給用ケーブルの配線方法であって、隣接し合う住戸の一方の住戸においては、前記電力供給用ケーブルとして複数の心線を平行に並べた平行ケーブルを配線し、他方の住戸においては、前記電力供給用ケーブルとして複数の心線を撚り合わせた撚り合わせケーブルを配線することを特徴とする電力供給用ケーブルの配線方法。
【発明の詳細な説明】
【技術分野】
【０００１】
本発明は、集合住宅内の住戸における電力供給用ケーブルの配線構造および配線方法に関するものである。
【背景技術】
【０００２】
電力線搬送通信は、住居内の交流１００Ｖなどの電力供給ライン（電力供給用ケーブル）をデータ伝送路として使用する通信方法であり、利点として新たな配線の敷設を必要とせず、既存の配線を利用できることがある。電力供給用ケーブルに高周波の信号を重畳させることによりデータ伝送を可能とするものであるが、従来では使用できる周波数帯域は１０ｋＨｚ〜４５０ｋＨｚであり、最高１００ｋｂｐｓ程度までの比較的低速の通信用途に限られており、あまり普及していなかった。
【０００３】
ところが、周波数帯域を広げることによって高速通信が可能となることから、２ＭＨｚ〜３０ＭＨｚの周波数帯域を使用して高速通信を行うことが検討されており、さらにその周波数帯域での漏洩電波の既存無線分野等への影響について調査されてきた（例えば、非特許文献１参照）。その結果、最近になり前述の周波数帯域の使用が認可され、今後、電力線搬送通信の普及が進むものと考えられている。
【０００４】
ところで、前述した漏洩電波は、前述の無線分野などへの影響もさることながら、他の電力線搬送通信ネットワークへの影響も懸念される。すなわち、電力供給用ケーブル同士があたかもアンテナのように働き、別の電力線搬送通信ネットワークからの漏洩電波を受信したり、別の電力線搬送通信ネットワークへ漏洩電波を送信したりする現象が懸念されている。
【０００５】
前記現象は、一戸建て住居では住居同士が離間しているため、ほとんど問題にならないと考えられるが、集合住宅では住戸が隣接しており、また電力供給用ケーブルが隣接する住戸の隔壁内に配線されるケースも考えられ、漏洩の影響が懸念される。
【０００６】
ここで、集合住宅における電力供給用ケーブルの配線例を図４に示す。図４において、符号５、６は集合住宅における住戸を示し、住戸５と住戸６とは隣接している。住戸５および住戸６における電力供給用の配線系統は、分電盤１から二心平行ケーブル３が、特に図示しない住戸内の部屋ないしは廊下に設置されたコンセント２に接続されて構成されている。
【０００７】
上記のように、住居内の電力供給用ケーブルとしては、ＪＩＳ  Ｃ３３４２に規定された６００Ｖビニル絶縁ビニルシース平形ケーブル（ＶＶＦ）が主に使用されている。このＶＶＦケーブルの構造は二心〜四心の複数の心線を平行に並べた平行ケーブルであり、主に二心ケーブルが使用されている。
【０００８】
また、これらの平行ケーブルを複数本束ねて使用するケースを考えると、平行ケーブル同士では電磁的な結合が大きく、例えば２本のＶＶＦケーブルを束ねた状態で、一方のＶＶＦケーブルに高周波信号を入力したとき、もう一方のＶＶＦケーブルへ信号が漏洩しやすいという性質がある。また、その漏洩は低周波帯域の信号では小さく、高周波になるに従い大きくなる性質がある。なお、その漏洩信号はノイズとなってもとの信号に重畳され、もとの信号を変化させるが、特にノイズが大きい場合には問題となる。
【０００９】
上述のようなケーブル間の漏洩信号による影響を抑える方法として、通信ケーブル分野などでは従来より多くの検討がなされており、例えば、電磁波の漏洩や進入を防ぐ遮蔽体をケーブルの外周に設けたケーブルを用いる方法や、ケーブルの心線を一定のピッチで撚り合わせた撚り合わせケーブルを用いる方法が行われている。特に撚り合わせケーブルは、電磁結合によるノイズに対して、撚り合わせるという簡単な構造変更のみで比較的高い効果が得られることから、よく用いられている。
【００１０】
ここで、撚り合わせケーブルによる耐ノイズ性の原理を説明する。電磁結合によるノイズの発生原理は、一方のケーブルから発生した磁力線により、ノイズを受ける側のケーブルに電磁誘導によって電流が流れ、ノイズ電圧が励起されるというものである。撚り合わせケーブルは、撚り合わせたことにより長手方向に多数のループが連なったような構造となっているため、前記励起ノイズ電圧は隣り合うループで互いに逆向きとなる性質を持ち、隣り合うループ同士で互いにノイズ電圧を打ち消し合うことにより、ケーブル間の漏洩信号による影響を抑えるものである。すなわち、図３（ａ）に示したように、撚り合わせケーブル２０では、電圧２２と電圧２５、電圧２３と電圧２４はそれぞれ打ち消し合う。なお、図１０において２６は磁力線を示す。
【００１１】
一方、平行ケーブルにおいては、上述した打ち消し効果が生じないため、ケーブル間の漏洩信号による影響を抑えられない。すなわち、図３（ｂ）に示したように、平行ケーブル３０では、電圧２２と電圧２４、電圧２３と電圧２５はそれぞれ加算される。
【００１２】
電力供給用ケーブルにおいて、撚り合わせ構造のケーブルとしては、ＪＩＳ  Ｃ３３０６に規定された６００Ｖビニルキャブタイヤケーブル（ＶＣＴＦ）等がある。
【００１３】
集合住宅における電力供給用ケーブルを、従来の平行構造の６００Ｖ  ＶＶＦケーブルから、上記６００Ｖ  ＶＣＴＦケーブル等の撚り合わせケーブルに変更することにより、前述の漏洩による影響を低減させることが考えられる。
【００１４】
【非特許文献１】総務省報道資料「高速電力線搬送通信に関する研究会報告及び高速電力線搬送通信と無線利用との共存条件案に係る意見の募集の結果」平成１７年１２月２６日（http://www.soumu.go.jp/s-news/2005/051226_6.html）
【発明の開示】
【発明が解決しようとする課題】
【００１５】
しかしながら、前述の６００Ｖ  ＶＣＴＦケーブルにおいては撚りピッチの規定はなく、ケーブルメーカーによって撚り合わせのピッチは異なる場合もあれば、ほぼ同じ撚り合わせピッチの場合もある。そのような撚り合わせピッチがほぼ同じケーブル二本を並べた場合、撚り合わせによって形成されたループの長さがほぼ同じとなり、互いのループ間で前述の電磁結合が生じてしまう。その結果、撚り合わせ構造であるにもかかわらず、ノイズ電圧の打ち消し効果がほとんど無くなってしまう。
【００１６】
すなわち、６００Ｖ  ＶＶＦのような平行ケーブルから、６００Ｖ  ＶＣＴＦケーブルのような撚り合わせケーブルに変更したとしても、前述の漏洩による影響を低減させることができないケースが発生する可能性がある。
【００１７】
上記の問題を解決するために、住戸毎に撚り合わせピッチをそれぞれ異ならせたケーブルを用いる手法が考えられるが、この手法は複数種のケーブルの製造が必要となり、またこれら複数種のケーブルの配線順序を決める必要があるなど煩雑となる。
【００１８】
本発明は、前述した事情に鑑みてなされたもので、集合住宅内における電力線搬送通信において、隣接し合う住戸の電力供給用ケーブルからの漏洩信号によるノイズを低減させることができる電力供給用ケーブルの配線構造および配線方法を提供することを目的とする。
【課題を解決するための手段】
【００１９】
本発明は、前記目的を達成するため、集合住宅内における電力供給用ケーブルの配線構造であって、隣接し合う住戸の一方の住戸においては、前記電力供給用ケーブルとして複数の心線を平行に並べた平行ケーブルが配線されており、他方の住戸においては、前記電力供給用ケーブルとして複数の心線を撚り合わせた撚り合わせケーブルが配線されていることを特徴とする電力供給用ケーブルの配線構造を提供する。
【００２０】
また、本発明は、前記目的を達成するため、集合住宅内における電力供給用ケーブルの配線方法であって、隣接し合う住戸の一方の住戸においては、前記電力供給用ケーブルとして複数の心線を平行に並べた平行ケーブルを配線し、他方の住戸においては、前記電力供給用ケーブルとして複数の心線を撚り合わせた撚り合わせケーブルを配線することを特徴とする電力供給用ケーブルの配線方法を提供する。
【００２１】
本発明において、上記平行ケーブルの種類に限定はなく、複数の心線を平行に並べたものであればいずれのものでも使用することができるが、二心〜四心のＪＩＳ  Ｃ３３４２に規定された６００Ｖビニル絶縁ビニルシース平形ケーブル（ＶＶＦ）を特に好適に使用することができる。
【００２２】
また、本発明において、上記撚り合わせケーブルの種類に限定はなく、複数の心線を撚り合わせたものであればいずれのものでも使用することができるが、二心〜三十心のＪＩＳ  Ｃ３３０６に規定された６００Ｖビニルキャブタイヤケーブル（ＶＣＴＦ）を特に好適に使用することができる。
【発明の効果】
【００２３】
本発明においては、集合住宅において互いに隣接し合う住戸に使用されている電力供給用ケーブルが、必ず一方の住戸ではＶＶＦケーブルのような平行ケーブル、もう一方の住戸ではＶＣＴＦケーブルのような撚り合わせケーブルとなっていることから、前述の電磁結合によるノイズの打ち消し効果が得られ、隣接する住戸の電力線搬送通信ネットワークからの信号の漏洩電波の影響を低減することが可能となる。
【００２４】
また、上記平行ケーブルおよび撚り合わせケーブルとしては、それぞれＪＩＳ  Ｃ３３４２およびＪＩＳ  Ｃ３３０６に規定された入手の容易な汎用のケーブルを用いることができ、したがって特殊なケーブルを用いることなく容易に漏洩電波の影響を低減することが可能となる。
【発明を実施するための最良の形態】
【００２５】
次に、本発明の実施形態について図面を参照して説明する。図１は本発明の一実施形態に係る電力供給用ケーブルの配線構造の概略構成を示した図である。本実施形態は、集合住宅内における隣接し合う住戸での２ＭＨｚ以上の周波数帯域を使用した高速通信を行う電力線搬送通信において、電力供給用ケーブルからの漏洩信号によるノイズを低減させることを目的としている。
【００２６】
図１において、符号５、６、７、８は集合住宅（マンション、アパートなど）における住戸を示し、住戸５は住戸６と、住戸６は住戸７と、住戸７は住戸８と隣接している。
【００２７】
住戸５および住戸７における電力供給用の配線系統は、分電盤１から二心平行ケーブル３が、特に図示しない住戸内の部屋ないしは廊下に設置されたコンセント２に接続されて構成されている。
【００２８】
住戸６および住戸８における電力供給用の配線系統は、分電盤１から二心撚り合わせケーブル４が、特に図示しない住戸内の部屋ないしは廊下に設置されたコンセント２に接続されて構成されている。
【００２９】
本実施形態では、隣接する住戸における電力供給用ケーブルはそれぞれ二心平行ケーブルと二心撚り合わせケーブルとなり、必ず異なる構造となるので、前述した電磁結合ノイズの打ち消し効果が有効に得られ、隣接する住戸同士の電力供給用ケーブル間の電波の漏洩を低減することができる。
【００３０】
以上、本発明の実施形態を説明したが、平行ケーブル３および撚り合わせケーブル４の心数は二心に限定されるものではなく、本発明の要旨を逸脱しない範囲で三心以上とすることが可能である。
【実施例】
【００３１】
以下に、６００Ｖビニル絶縁ビニルシース平形ケーブル（ＶＶＦ）および６００Ｖビニルキャブタイヤケーブル（ＶＣＴＦ）の耐ノイズ効果を比較した試験例を以下に示す。
【００３２】
集合住宅の隣接する住戸間の電力供給用ケーブルが最も近接する状態は、住戸間の隔壁にケーブルが沿わされて配線された場合と考えられる。そこで、この場合を想定した図２に示す試験方法にて、耐ノイズ効果を比較した。図２において、９はＶＶＦケーブル、１０はＶＶＦケーブルまたはＶＣＴＦケーブル、１１は終端抵抗を示し、両ケーブル９、１０は密着して沿わせてある。
【００３３】
本試験において、ＶＶＦケーブル９とＶＶＦケーブル１０とを密着して沿わせた場合は、一方のＶＶＦケーブル９に信号発生器（Ｓ・Ｇ：シグナルジェネレータ）から所定電圧および周波数の正弦波信号を印可し、もう一方のＶＶＦケーブル１０に励起された電圧をスペクトラムアナライザ（Ｓ・Ａ）にて測定し、シグナルジェネレータで発生させた正弦波信号の電圧をＶ１、もう一方のＶＶＦケーブル１０に励起された電圧をＶ２としたとき、下記式（１）にて算出した値をもって耐ノイズ効果とした。
耐ノイズ効果（ｄＢ）＝２０  ｌｏｇ１０（Ｖ２／Ｖ１）  …（１）
【００３４】
また、ＶＶＦケーブルとＶＣＴＦケーブルとを密着して沿わせた場合は、ＶＶＦケーブル９に信号発生器（Ｓ・Ｇ）から所定電圧および周波数の正弦波信号を印可し、ＶＣＴＦケーブル１０に励起された電圧をスペクトラムアナライザ（Ｓ・Ａ）にて測定し、シグナルジェネレータで発生させた正弦波信号の電圧をＶ１、ＶＣＴＦケーブルに励起された電圧をＶ２としたとき、前記式（１）にて算出した値をもって耐ノイズ効果とした。
【００３５】
ここで、シグナルジェネレータの周波数は２、５、１０、３０ＭＨｚとし、両ケーブル９、１０を沿わせた距離は３ｍとし、各ＶＶＦケーブル、ＶＣＴＦケーブルはそれぞれの特性インピーダンスで終端させた。
【００３６】
耐ノイズ効果の評価結果を下記表１に示す。表１より、全ての周波数において、ＶＶＦケーブル同士よりも、ＶＶＦケーブルとＶＣＴＦケーブルとの組み合わせの方が耐ノイズ効果が高く、一方の平行ケーブルを撚り合わせケーブルに変更することにより、耐ノイズ効果が向上することが確認された。
【００３７】
【表１】
2008295201.tif 000003
【図面の簡単な説明】
【００３８】
【図１】本発明による電力供給用ケーブルの配線構造の概略構成を示した図である。
【図２】耐ノイズ効果の測定方法の概略構成を示した図である。
【図３】撚り合わせケーブル間および平行ケーブル間の漏洩信号による影響を示す説明図である。
【図４】従来技術による電力供給用ケーブルの配線構造の概略構成を示した図である。
【符号の説明】
【００３９】
１  分電盤
２  コンセント
３  二心平行ケーブル
４  二心撚り合わせケーブル
５、６、７、８  住戸
９  ＶＶＦケーブル
１０  ＶＶＦケーブルまたはＶＣＴＦケーブル
１１  終端抵抗
【図１】
2008295201.tif 000004
【図２】
2008295201.tif 000005
【図３】
2008295201.tif 000006
【図４】
2008295201.tif 000007